(57)【要約】     本発明は優先サービスの処理方法を開示する。この方法は、回路交換フォールバックの移動局が呼を終了するプロセスにおいて発展型ノードＢ（ｅＮＢ）及びモビリティ管理エンティティＭＭＥがＵＥへのメッセージにサービスの優先度インジケーションをキャリーするステップ（４０１）と、ＵＥがＧＳＭ  ＥＤＧＥ無線アクセスネットワーク（ＧＥＲＡＮ）又は汎用陸上無線アクセスネットワーク（ＵＴＲＡＮ）で対応するサービスを開始する場合にサービスに対応する優先度インジケーションをＧＥＲＡＮ又はＵＴＲＡＮに送信するステップ（４０２）とを含む。本発明によれば、ソースネットワークＥ−ＵＴＲＡＮは既存メッセージを十分に利用してサービス情報をキャリーしてＵＥに通知することができ、ＵＥは当該情報をターゲットネットワークＧＥＲＡＮ／ＵＴＲＡＮに転送することによりターゲットネットワークにおける高優先度サービスの失敗を避けることができる。     【選択図】    図４
2013538510.tif 000002
【特許請求の範囲】
【請求項１】
優先サービスの処理方法であって、前記方法は、
回路交換フォールバックの移動局が呼を終了するプロセスにおいて、発展型ノードＢ（ｅＮＢ）及び／又はモビリティ管理エンティティ（ＭＭＥ）が、ユーザ端末（ＵＥ）に送信したメッセージに、サービスの優先度インジケーションをキャリーするステップと、
前記ＵＥが、ＧＳＭ  ＥＤＧＥ無線アクセスネットワーク（ＧＥＲＡＮ）又は汎用陸上無線アクセスネットワーク（ＵＴＲＡＮ）で、対応するサービスを開始する場合に、前記サービスに対応する優先度インジケーションをＧＥＲＡＮ又はＵＴＲＡＮに送信するステップとを含むことを特徴とする優先サービスの処理方法。
【請求項２】
当該方法は、
アイドル状態にあるＵＥに対して、前記ｅＮＢが、ＵＥへのページングメッセージ及び／又は無線接続解放要求メッセージを介して、前記サービスの優先度インジケーションをキャリーするステップをさらに含むことを特徴とする
請求項１に記載の優先サービスの処理方法。
【請求項３】
当該方法は、
接続状態にあるＵＥに対して、前記ＭＭＥが、ＵＥへの回路交換（ＣＳ）サービス通知メッセージを介して前記サービスの優先度インジケーションをキャリーし、及び／又は、ｅＮＢが、ＵＥへの無線接続解放要求メッセージを介して前記サービスの優先度インジケーションをキャリーするステップをさらに含むことを特徴とする
請求項１に記載の優先サービスの処理方法。
【請求項４】
前記ＵＥがＧＥＲＡＮで対応するサービスを開始する場合に、前記サービスに対応する優先度インジケーションをＧＥＲＡＮに送信することは、具体的には、
前記ＵＥがチャネル要求メッセージをＧＥＲＡＮに送信し、前記要求メッセージにおける確立原因が前記優先度インジケーションとされ、且つ前記確立原因が緊急通報として充填されることを特徴とする
請求項１に記載の優先サービスの処理方法。
【請求項５】
前記ＵＥがＵＴＲＡＮで対応するサービスを開始する場合に、前記サービスに対応する優先度インジケーションをＵＴＲＡＮに送信することは、具体的には、
前記ＵＥが無線リソース接続確立要求メッセージをＵＴＲＡＮに送信し、前記要求メッセージにおける確立原因が前記優先度インジケーションとされ、且つ前記確立原因が高優先順位シグナリング終了又は緊急通報として充填されることを特徴とする
請求項１に記載の優先サービスの処理方法。
【請求項６】
優先サービスの処理システムであって、当該システムは、ＵＥ、ｅＮＢ及びＭＭＥを含み、ここで、
前記ｅＮＢ及び／又はＭＭＥは、回路交換フォールバックの移動局が呼を終了するプロセスにおいて、前記ＵＥに送信したメッセージに、サービスの優先度インジケーションをキャリーすることに用いられ、
前記ＵＥは、ＧＥＲＡＮ又はＵＴＲＡＮで対応するサービスを開始する場合に、前記サービスに対応する優先度インジケーションをＧＥＲＡＮ又はＵＴＲＡＮに送信することに用いられることを特徴とする優先サービスの処理システム。
【請求項７】
前記ｅＮＢは、
アイドル状態にあるＵＥに対して、ＵＥへのページングメッセージ及び／又は無線接続解放要求メッセージを介して、前記サービスの優先度インジケーションをキャリーすることにさらに用いられることを特徴とする
請求項６に記載の優先サービスの処理システム。
【請求項８】
前記ＭＭＥは、
接続状態にあるＵＥに対して、ＵＥへのＣＳサービス通知メッセージを介して、前記サービスの優先度インジケーションをキャリーすることにさらに用いられることを特徴とする
請求項６に記載の優先サービスの処理システム。
【請求項９】
前記ｅＮＢは、
接続状態にあるＵＥに対して、ＵＥへの無線接続解放要求メッセージを介して、前記サービスの優先度インジケーションをキャリーすることにさらに用いられることを特徴とする
請求項６又は請求項８に記載の優先サービスの処理システム。
【請求項１０】
前記ＵＥは、
チャネル要求メッセージをＧＥＲＡＮに送信することにさらに用いられ、前記要求メッセージにおける確立原因が前記優先度インジケーションとされ、且つ前記確立原因が緊急通報として充填されることを特徴とする
請求項６に記載の優先サービスの処理システム。
【請求項１１】
前記ＵＥは、
無線リソース接続確立要求メッセージをＵＴＲＡＮに送信することにさらに用いられ、前記要求メッセージにおける確立原因が前記優先度インジケーションとされ、且つ前記確立原因が高優先順位シグナリング終了又は緊急通報として充填されることを特徴とする
請求項６に記載の優先サービスの処理システム。
【発明の詳細な説明】
【技術分野】
【０００１】
本発明は、通信分野に関し、特に、優先サービスの処理方法及びシステムに関する。
【背景技術】
【０００２】
マルチメディア優先度サービスとは、政府部門（例えば、国家安全、緊急事務部門など）の作業員が公衆回線を使って優先度の高いサービスを開始することを指す。マルチメディア優先度サービスでは、通信ネットワークの無線側又はコアネットワーク側で渋滞が発生した場合のような特殊な場合において、このサービスを優先的にサポートする必要がある。
【０００３】
図１に示すように、高優先度特徴を持つ音声呼が着呼ユーザ側のネットワークに達した場合、着呼ユーザは、発展型汎用陸上無線アクセスネットワーク（Ｅ−ＵＴＲＡＮ：Ｅｖｏｌｖｅｄ  ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にアクセスし、ここで、Ｅ−ＵＴＲＡＮが発展型ノードＢ（ｅＮＢ：ｅｖｏｌｖｅｄ  Ｎｏｄｅ  Ｂ）から構成され、モバイルスイッチングセンター（ＭＳＣ：Ｍｏｂｉｌｅ  Ｓｗｉｔｃｈｉｎｇ  Ｃｅｎｔｅｒ）／ビジターロケーションレジスタ（ＶＬＲ：Ｖｉｓｉｔｏｒ  Ｌｏｃａｔｉｏｎ  Ｒｅｇｉｓｔｅｒ）（ＭＳＣとＶＬＲが通常同時に使用される）は、着信呼要求を受信すると、モビリティ管理エンティティ（ＭＭＥ：Ｍｏｂｉｌｉｔｙ  Ｍａｎａｇｅｍｅｎｔ  Ｅｎｔｉｔｙ）とＭＳＣ／ＶＬＲとの間のインターフェースを介して回路交換（ＣＳ：Ｃｉｒｃｕｉｔ  Ｓｗｉｔｃｈｅｄ）ページング要求メッセージを送信し、ＭＭＥは、ＣＳ発呼要求メッセージを受信した後、呼回路交換フォールバックを行う。この場合、ユーザ端末（ＵＥ：Ｕｓｅｒ  Ｅｑｕｉｐｍｅｎｔ）は、ＧＳＭ  ＥＤＧＥ無線アクセスネットワーク（ＧＥＲＡＮ：ＧＳＭ  ＥＤＧＥ  Ｒａｄｉｏ  Ａｃｃｅｓｓ  Ｎｅｔｗｏｒｋ）／汎用陸上無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を介してＭＳＣにアクセスする。
【０００４】
図２に示すように、従来の回路交換フォールバックプロセスは、主に以下のステップを含む。
ステップ２０１では、ＵＥに１つの呼があり、且つＵＥが着呼ユーザであり、この場合に、ＵＥは、アイドル状態になり、ネットワークと接続しない。ＵＥが位置する着呼ネットワークのＭＳＣは、着信呼要求の初期アイドルメッセージを受信した。この着信呼要求の発呼側は、高優先度特性を持つユーザであり、その中に優先度インジケーションが含まれ、ＭＳＣ／ＶＬＲは、着信呼要求を受信すると、着呼ユーザを呼び出すことを開始し、記憶された関連関係情報などに基づいて、ＭＳＣ／ＶＬＲは、ＭＭＥに１つの優先度インジケーションを含むＣＳ発呼要求を送信する。
【０００５】
ステップ２０２では、ＭＭＥは、ＭＳＣ／ＶＬＲから送信されたＣＳ発呼要求メッセージを受信すると、ＵＥを呼び出すことを開始し、ページングメッセージをｅＮＢに送信し、且つページングメッセージに優先度インジケーションが含まれる。
【０００６】
ステップ２０３では、ｅＮＢは、ページングメッセージをＵＥに送信する。
【０００７】
ステップ２０４では、ＵＥは、ページングメッセージを受信した後、拡張されたサービス要求をＭＭＥに送信する。
【０００８】
ステップ２０５では、ＭＭＥは、ユーザデバイスコンテキスト確立要求をｅＮＢに送信し、その中に回路交換フォールバックインジケーション（ＣＳＦＢ  ｉｎｄｉｃａｔｉｏｎ：ＣＳ  Ｆａｌｌ  Ｂａｃｋ  ｉｎｄｉｃａｔｉｏｎ）と優先度インジケーションとが携帯される。
【０００９】
ステップ２０６では、ｅＮＢは、ユーザデバイスコンテキスト確立応答メッセージをＭＭＥに送信する。
【００１０】
ステップ２０７では、ｅＮＢは、リダイレクションメカニズムを使用することを決定し、無線接続解放を開始し、２Ｇ／３Ｇにリダイレクトして回路交換サービスを行うようにＵＥに指示する。
【００１１】
ステップ２０８では、ＵＥは、ＧＥＲＡＮ／ＵＴＲＡＮで無線接続を開始し、この時、ＧＥＲＡＮ／ＵＴＲＡＮが渋滞状態になるため、ユーザのサービス要求を処理できないので、このＵＥは、回路交換サービスにアクセスできず、この呼が失敗することになる。
【００１２】
ＵＥが接続状態にある、即ち、ネットワークと接続する時に、同じ場合も発生する。図３に示すように、回路交換フォールバックプロセスは、以下のステップを含む。
【００１３】
ステップ３０１では、ＵＥに１つの呼があり、且つＵＥが着呼ユーザであり、この場合、ＵＥは、接続状態になり、ネットワークと接続している。ＵＥが位置する着呼ネットワークのＭＳＣは、着信呼要求の初期アイドルメッセージを受信した。この着信呼要求の発呼側は、高優先度特徴を持つユーザであり、その中に優先度インジケーションが含まれ、ＭＳＣ／ＶＬＲは、着信呼要求を受信すると、着呼ユーザを呼び出すことを開始し、記憶された関連関係情報などに基づいて、ＭＳＣ／ＶＬＲは、１つの優先度インジケーションを含むＣＳ発呼要求をＭＭＥにする。
【００１４】
ステップ３０２では、ＵＥとＭＭＥとの間に接続があり、ＭＭＥは、ＣＳサービス通知メッセージをＵＥに直接送信する。
【００１５】
ステップ３０３では、ＵＥは、ＣＳサービス通知メッセージを受信した後、拡張されたサービス要求をＭＭＥに送信する。
【００１６】
ステップ３０４では、ＭＭＥは、ユーザデバイスコンテキスト変更要求をｅＮＢに送信し、その中にＣＳＦＢインジケーションと優先度インジケーションとが含まれる。
【００１７】
ステップ３０５では、ｅＮＢは、ユーザデバイスコンテキスト変更応答メッセージをＭＭＥに送信する。
【００１８】
ステップ３０６では、ｅＮＢは、リダイレクションメカニズムを使用することを決定し、無線接続解放を開始し、２Ｇ／３Ｇにリダイレクトして回路交換サービスを行うようにＵＥに指示する。
【００１９】
ステップ３０７では、ＵＥは、ＧＥＲＡＮ／ＵＴＲＡＮで無線接続を開始し、この時、ＧＥＲＡＮ／ＵＴＲＡＮが渋滞状態にあるため、ユーザのサービス要求を処理できないので、このＵＥは、回路交換サービスにアクセスできず、この呼が失敗することになる。
【００２０】
上記のような場合が存在するため、従来技術には、優先度を持つ回路交換呼は、ＧＥＲＡＮ／ＵＴＲＡＮの負荷が大きすぎる場合に、成功を保証できなくなる。
【発明の概要】
【発明が解決しようとする課題】
【００２１】
これを鑑みて、本発明の主な目的は、従来技術の優先度サービスがＧＥＲＡＮ／ＵＴＲＡＮの負荷が大きすぎる場合に成功を保証できない問題を解決するように、優先サービスの処理方法及びシステムを提供することにある。
【課題を解決するための手段】
【００２２】
上記目的を達するために、本発明の技術案は、以下のように実現される。
本発明に係る優先サービスの処理方法は、
回路交換フォールバックの移動局が呼を終了するプロセスにおいて、発展型ノードＢ（ｅＮＢ）及び／又はモビリティ管理エンティティ（ＭＭＥ）が、ユーザ端末（ＵＥ）に送信したメッセージに、サービスの優先度インジケーションをキャリーするステップと、
前記ＵＥが、ＧＳＭ  ＥＤＧＥ無線アクセスネットワーク（ＧＥＲＡＮ）又は汎用陸上無線アクセスネットワーク（ＵＴＲＡＮ）で、対応するサービスを開始する場合に、前記サービスに対応する優先度インジケーションをＧＥＲＡＮ又はＵＴＲＡＮに送信するステップとを含む。
【００２３】
当該方法は、アイドル状態にあるＵＥに対して、前記ｅＮＢが、ＵＥへのページングメッセージ及び／又は無線接続解放要求メッセージを介して、前記サービスの優先度インジケーションをキャリーするステップをさらに含む。
【００２４】
当該方法は、接続状態にあるＵＥに対して、前記ＭＭＥが、ＵＥへの回路交換（ＣＳ）サービス通知メッセージを介して前記サービスの優先度インジケーションをキャリーし、及び／又は、ｅＮＢが、ＵＥへの無線接続解放要求メッセージを介して前記サービスの優先度インジケーションをキャリーするステップをさらに含む。
【００２５】
前記ＵＥがＧＥＲＡＮで対応するサービスを開始する場合に、前記サービスに対応する優先度インジケーションをＧＥＲＡＮに送信することは、具体的には、
前記ＵＥがチャネル要求メッセージをＧＥＲＡＮに送信し、前記要求メッセージにおける確立原因が前記優先度インジケーションとされ、且つ前記確立原因が緊急通報として充填される。
【００２６】
前記ＵＥがＵＴＲＡＮで対応するサービスを開始する場合に、前記サービスに対応する優先度インジケーションをＵＴＲＡＮに送信することは、具体的には、
前記ＵＥが無線リソース接続確立要求メッセージをＵＴＲＡＮに送信し、前記要求メッセージにおける確立原因が前記優先度インジケーションとされ、且つ前記確立原因が高優先順位シグナリング終了又は緊急通報として充填される。
【００２７】
本発明に係る優先サービスの処理システムは、ＵＥ、ｅＮＢ及びＭＭＥを含み、ここで、
前記ｅＮＢ及び／又はＭＭＥは、回路交換フォールバックの移動局が呼を終了するプロセスにおいて、前記ＵＥに送信したメッセージに、サービスの優先度インジケーションをキャリーすることに用いられ、
前記ＵＥは、ＧＥＲＡＮ又はＵＴＲＡＮで対応するサービスを開始する場合に、前記サービスに対応する優先度インジケーションをＧＥＲＡＮ又はＵＴＲＡＮに送信することに用いられる。
【００２８】
前記ｅＮＢは、アイドル状態にあるＵＥに対して、ＵＥへのページングメッセージ及び／又は無線接続解放要求メッセージを介して、前記サービスの優先度インジケーションをキャリーすることにさらに用いられる。
【００２９】
前記ＭＭＥは、接続状態にあるＵＥに対して、ＵＥへのＣＳサービス通知メッセージを介して、前記サービスの優先度インジケーションをキャリーすることにさらに用いられる。
【００３０】
前記ｅＮＢは、接続状態にあるＵＥに対して、ＵＥへの無線接続解放要求メッセージを介して、前記サービスの優先度インジケーションをキャリーすることにさらに用いられる。
【００３１】
前記ＵＥは、チャネル要求メッセージをＧＥＲＡＮに送信することにさらに用いられ、前記要求メッセージにおける確立原因が前記優先度インジケーションとされ、且つ前記確立原因が緊急通報として充填される。
【００３２】
前記ＵＥは、無線リソース接続確立要求メッセージをＵＴＲＡＮに送信することにさらに用いられ、前記要求メッセージにおける確立原因が前記優先度インジケーションとされ、且つ前記確立原因が高優先順位シグナリング終了又は緊急通報として充填される。
【００３３】
本発明に係る優先サービスの処理方法及びシステムは、回路交換フォールバックの移動局が呼を終了するプロセスにおいて、ｅＮＢ及び／又はＭＭＥが、ＵＥへのメッセージに、サービスの優先度インジケーションをキャリーし、ＵＥが、ＧＥＲＡＮ又はＵＴＲＡＮで対応するサービスを開始する場合に、当該サービスに対応する優先度インジケーションをＧＥＲＡＮ又はＵＴＲＡＮに送信する。本発明によれば、ソースネットワークＥ−ＵＴＲＡＮは、既存メッセージを十分に利用してサービス情報をキャリーしてＵＥに通知することができ、ＵＥは、当該情報をターゲットネットワークＧＥＲＡＮ／ＵＴＲＡＮに転送することにより、ターゲットネットワークにおける高優先度サービスの失敗を避けることができる。
【図面の簡単な説明】
【００３４】
【図１】図１は、従来技術における回路交換フォールバックのネットワークを示す図である。
【図２】図２は、従来技術においてＵＥがアイドル状態にある場合の回路交換フォールバックのフローチャートである。
【図３】図３は、従来技術においてＵＥが接続状態にある場合の回路交換フォールバックのフローチャートである。
【図４】図４は、本発明に係る優先サービスの処理方法のフローチャートである。
【図５】図５は、本発明に係る実施形態１における優先サービスの処理方法のフローチャートである。
【図６】図６は、本発明に係る実施形態２における優先サービスの処理方法のフローチャートである。
【図７】図７は、本発明に係る実施形態３における優先サービスの処理方法のフローチャートである。
【図８】図８は、本発明に係る実施形態４における優先サービスの処理方法のフローチャートである。
【発明を実施するための形態】
【００３５】
以下、図面と具体的な実施形態を合わせて本発明の技術案をさらに詳しく説明する。
【００３６】
本発明に係る優先サービスの処理方法は、図４に示すように、主に以下のステップを含む。
【００３７】
ステップ４０１では、回路交換フォールバックの移動局が呼を終了するプロセスにおいて、ｅＮＢ及び／又はＭＭＥは、ＵＥへのメッセージに、サービスの優先度インジケーションをキャリーする。
【００３８】
ここで、アイドル状態にあるＵＥに対して、ｅＮＢは、ＵＥへのページングメッセージ及び／又は無線接続解放要求メッセージを介して前記サービスの優先度インジケーションをキャリーすることができる。接続状態にあるＵＥに対して、ＭＭＥは、ＵＥへのＣＳサービス通知メッセージを介して前記サービスの優先度インジケーションをキャリーすることができ、及び／又は、ｅＮＢは、ＵＥへの無線接続解放要求メッセージを介して対応するサービスの優先度インジケーションをキャリーすることができる。
【００３９】
ステップ４０２では、ＵＥは、ＧＥＲＡＮ又はＵＴＲＡＮで対応するサービスを開始する場合に、当該サービスに対応する優先度インジケーションをＧＥＲＡＮ又はＵＴＲＡＮに送信する。
【００４０】
以下、さらに具体的な実施形態を合わせて、上記の優先サービスの処理方法をさらに詳しく説明する。
【００４１】
本発明の実施形態１、実施形態２は、ＵＥがアイドル状態にある場合で発生し、図５に示すような優先サービスの処理方法は、具体的に以下のステップを含む。
【００４２】
ステップ５０１では、ＵＥに１つの呼があり、且つＵＥが着呼ユーザであり、この時場合、ＵＥは、アイドル状態になり、ネットワークと接続しない。ＵＥが位置する着呼ネットワークのＭＳＣは、着信呼要求の初期アイドルメッセージを受信した。この着信呼要求の発呼側は、高優先度特徴を持つユーザであり、その中に優先度インジケーションが含まれ、ＭＳＣ／ＶＬＲは、着信呼要求を受信すると、着呼ユーザを呼び出すことを開始し、記憶された関連関係情報などに基づいて、ＭＳＣ／ＶＬＲは、１つのＣＳ発呼要求をＭＭＥに送信し、その中に優先度インジケーションが含まれる。
【００４３】
ステップ５０２では、ＭＭＥは、ＭＳＣ／ＶＬＲから送信されたＣＳ発呼要求メッセージを受信すると、ＵＥを呼び出すことを開始し、ページングメッセージをｅＮＢに送信し、且つページングメッセージに優先度インジケーションが含まれる。
【００４４】
ステップ５０３では、ｅＮＢは、ページングメッセージをＵＥに送信し、当該ページングメッセージに優先度インジケーションが含まれ、当該インジケーションが１ビッドで示されることができ、高優先度を示すことに用いられる。
【００４５】
ステップ５０４では、ＵＥは、ページングメッセージを受信した後、その中の優先度インジケーションを記憶し、そして拡張されたサービス要求をＭＭＥに送信する。
【００４６】
ステップ５０５では、ＭＭＥは、ユーザデバイスコンテキスト確立要求をｅＮＢに送信し、その中にＣＳＦＢインジケーションと優先度インジケーションとが含まれる。
【００４７】
ステップ５０６では、ｅＮＢは、ユーザデバイスコンテキスト確立応答メッセージをＭＭＥに送信する。
【００４８】
ステップ５０７では、ｅＮＢは、リダイレクションメカニズムを使用することを決定し、無線接続解放を開始し、即ち無線接続解放要求メッセージをＵＥに送信し、２Ｇ／３Ｇにリダイレクトして回路交換サービスを行うようにＵＥに指示する。
【００４９】
ステップ５０８では、ＵＥは、ＧＥＲＡＮ／ＵＴＲＡＮで無線接続確立要求メッセージを開始し、当該要求メッセージには、ＵＥが優先度インジケーションをキャリーしてＧＥＲＡＮ／ＵＴＲＡＮに通知する。
【００５０】
ＵＥがＧＥＲＡＮに接続する場合、当該要求メッセージは、チャネル要求（ｃｈａｎｎｅｌ  ｒｅｑｕｅｓｔ）メッセージであってよく、その中の優先度インジケーションが確立原因（ｅｓｔａｂｌｉｓｈｍｅｎｔ  ｃａｕｓｅ）であってよく、当該原因が緊急通報（ｅｍｅｒｇｅｎｃｙ  ｃａｌｌ）であってよい。ＵＥがＵＴＲＡＮに接続する場合、当該要求メッセージは、無線リソース接続確立要求（ＲＲＣ  Ｃｏｎｎｅｃｔｉｏｎ  ＳＥＴＵＰ  Ｒｅｑｕｅｓｔ）メッセージであってよく、その中に含まれる確立原因が高優先度シグナリング終了（ｔｅｒｍｉｎａｔｉｎｇ  Ｈｉｇｈ  Ｐｒｉｏｒｉｔｙ  Ｓｉｇｎａｌｉｎｇ）又は緊急通報であってよい。上記要求メッセージを受信した後、ＧＥＲＡＮ／ＵＴＲＡＮは、その中に含まれる確立原因の値に基づいて、優先的に当該要求メッセージを処理してリソースを割り当てる。
【００５１】
図６に示すような優先サービスの処理方法は、以下のステップを含む。
【００５２】
ステップ６０１では、ＵＥに１つの呼があり、且つＵＥが着呼ユーザであり、この時場合、ＵＥは、アイドル状態になり、ネットワークと接続しない。ＵＥが位置する着呼ネットワークのＭＳＣは、着信呼要求の初期アイドルメッセージを受信した。この着信呼要求の発呼側は、高優先度特徴を持つユーザであり、その中に優先度インジケーションが含まれ、ＭＳＣ／ＶＬＲは、着信呼要求を受信すると、着呼ユーザを呼び出すことを開始し、記憶された関連関係情報などに基づいて、ＭＳＣ／ＶＬＲは、１つのＣＳ発呼要求をＭＭＥに送信し、その中に優先度インジケーションが含まれる。
【００５３】
ステップ６０２では、ＭＭＥは、ＭＳＣ／ＶＬＲから送信されたＣＳ発呼要求メッセージを受信すると、ＵＥを呼び出すことを開始し、ページングメッセージをｅＮＢに送信し、且つページングメッセージに優先度インジケーションが含まれる。
【００５４】
ステップ６０３では、ｅＮＢは、ページングメッセージをＵＥに送信する。
【００５５】
ステップ６０４では、ＵＥは、ページングメッセージを受信した後、拡張されたサービス要求をＭＭＥに送信する。
【００５６】
ステップ６０５では、ＭＭＥは、ユーザデバイスコンテキスト確立要求をｅＮＢに送信し、その中にＣＳＦＢインジケーションと優先度インジケーションとが含まれる。
【００５７】
ステップ６０６では、ｅＮＢは、ユーザデバイスコンテキスト確立応答メッセージをＭＭＥに送信する。
【００５８】
ステップ６０７では、ｅＮＢは、リダイレクションメカニズムを使用することを決定し、無線接続解放を開始し、即ち無線接続解放要求メッセージをＵＥに送信し、２Ｇ／３Ｇにリダイレクトして回路交換サービスを行うようにＵＥに指示する。且つ当該要求メッセージには優先度インジケーションが含まれ、当該インジケーションは、１ビットで示されることができ、高優先度を示すことに用いられる。ＵＥは、無線接続解放要求メッセージを受信すると、その中の優先度インジケーションを記憶する。
【００５９】
ステップ６０８では、ＵＥは、ＧＥＲＡＮ／ＵＴＲＡＮで無線接続確立要求メッセージを開始し、当該要求メッセージには、ＵＥが優先度インジケーションをキャリーしてＧＥＲＡＮ／ＵＴＲＡＮに通知する。
【００６０】
ＵＥがＧＥＲＡＮに接続する場合、当該要求メッセージは、チャネル要求（ｃｈａｎｎｅｌ  ｒｅｑｕｅｓｔ）メッセージであってよく、その中の優先度インジケーションが確立原因（ｅｓｔａｂｌｉｓｈｍｅｎｔ  ｃａｕｓｅ）であってよく、当該原因が緊急通報（ｅｍｅｒｇｅｎｃｙ  ｃａｌｌ）であってよい。ＵＥがＵＴＲＡＮに接続する場合、当該要求メッセージは無線リソース接続確立要求（ＲＲＣ  Ｃｏｎｎｅｃｔｉｏｎ  ＳＥＴＵＰ  Ｒｅｑｕｅｓｔ）メッセージであってよく、その中に含まれる確立原因は高優先度シグナリング終了（ｔｅｒｍｉｎａｔｉｎｇ  Ｈｉｇｈ  Ｐｒｉｏｒｉｔｙ  Ｓｉｇｎａｌｉｎｇ）又は緊急通報であってよい。上記要求メッセージを受信した後、ＧＥＲＡＮ／ＵＴＲＡＮは、その中に含まれる確立原因の値に基づいて、優先的に当該要求メッセージを処理してリソースを割り当てる。
【００６１】
本発明における実施形態３、実施形態４は、ＵＥが接続状態にある場合で発生し、図７に示すような優先サービスの処理方法は、具体的に以下のステップを含む。
【００６２】
ステップ７０１では、ＵＥに１つの呼があり、且つＵＥが着呼ユーザであり、この場合、ＵＥは、接続状態になり、ネットワークと接続している。ＵＥが位置する着呼ネットワークのＭＳＣは、着信呼要求の初期アイドルメッセージを受信した。この着信呼要求の発呼側は、高優先度特徴を持つユーザであり、その中に優先度インジケーションが含まれ、ＭＳＣ／ＶＬＲは、着信呼要求を受信すると、着呼ユーザを呼び出すことを開始し、記憶された関連関係情報などに基づいて、ＭＳＣ／ＶＬＲは、１つのＣＳ発呼要求をＭＭＥに送信し、その中に優先度インジケーションが含まれる。
【００６３】
ステップ７０２では、ＵＥとＭＭＥとの間に接続があり、ＭＭＥは、ＣＳサービス通知メッセージをＵＥに直接送信し、当該ＣＳサービス通知メッセージには優先度インジケーションが含まれ、当該インジケーションは、１ビッドで示されることができ、高優先度を示すことに用いられる。
ステップ７０３では、ＵＥは、ＣＳサービス通知メッセージを受信した後、その中の優先度インジケーションを記憶し、そして拡張されたサービス要求をＭＭＥに送信する。
【００６４】
ステップ７０４では、ＭＭＥは、ユーザデバイスコンテキスト変更要求をｅＮＢに送信し、その中にＣＳＦＢインジケーションと優先度インジケーションとが含まれる。
【００６５】
ステップ７０５では、ｅＮＢは、ユーザデバイスコンテキスト変更応答メッセージをＭＭＥに送信する。
【００６６】
ステップ７０６では、ｅＮＢは、リダイレクションメカニズムを使用することを決定し、無線接続解放を開始し、即ち無線接続解放要求メッセージをＵＥに送信し、２Ｇ／３Ｇにリダイレクトして回路交換サービスを行うようにＵＥに指示する。
【００６７】
ステップ７０７では、ＵＥは、ＧＥＲＡＮ／ＵＴＲＡＮで無線接続を開始し、当該要求メッセージには、ＵＥが優先度インジケーションをキャリーしてＧＥＲＡＮ／ＵＴＲＡＮに通知する。
【００６８】
ＵＥがＧＥＲＡＮに接続する場合、当該要求メッセージは、チャネル要求（ｃｈａｎｎｅｌ  ｒｅｑｕｅｓｔ）メッセージであってよく、その中の優先度インジケーションが確立原因（ｅｓｔａｂｌｉｓｈｍｅｎｔ  ｃａｕｓｅ）であってよく、当該原因が緊急通報（ｅｍｅｒｇｅｎｃｙ  ｃａｌｌ）であってよい。ＵＥがＵＴＲＡＮに接続する場合、当該要求メッセージは無線リソース接続確立要求（ＲＲＣ  Ｃｏｎｎｅｃｔｉｏｎ  ＳＥＴＵＰ  Ｒｅｑｕｅｓｔ）メッセージであってよく、その中に含まれる確立原因は高優先度シグナリング終了（ｔｅｒｍｉｎａｔｉｎｇ  Ｈｉｇｈ  Ｐｒｉｏｒｉｔｙ  Ｓｉｇｎａｌｉｎｇ）又は緊急通報であってよい。上記要求メッセージを受信した後、ＧＥＲＡＮ／ＵＴＲＡＮは、その中に含まれる確立原因の値に基づいて、優先的に当該要求メッセージを処理してリソースを割り当てる。
【００６９】
図８に示すような優先サービスの処理方法は、以下のステップを含む。
【００７０】
ステップ８０１では、ＵＥに１つの呼があり、且つＵＥが着呼ユーザであり、この場合、ＵＥは、接続状態になり、ネットワークと接続している。ＵＥが位置する着呼ネットワークのＭＳＣが着信呼要求の初期アイドルメッセージを受信した。この着信呼要求の発呼側は、高優先度特徴を持つユーザであり、その中に優先度インジケーションが含まれ、ＭＳＣ／ＶＬＲは、着信呼要求を受信すると、着呼ユーザを呼び出すことを開始し、記憶された関連関係情報などに基づいて、ＭＳＣ／ＶＬＲは、ＭＭＥに１つのＣＳ発呼要求を送信し、その中に優先度インジケーションが含まれる。
【００７１】
ステップ８０２では、ＵＥとＭＭＥとの間に接続があり、ＭＭＥは、ＣＳサービス通知メッセージをＵＥに直接送信する。
【００７２】
ステップ８０３では、ＵＥは、ＣＳサービス通知メッセージを受信した後、拡張されたサービス要求をＭＭＥに送信する。
【００７３】
ステップ８０４では、ＭＭＥは、ユーザデバイスコンテキスト変更要求をｅＮＢに送信し、その中にＣＳＦＢインジケーションと優先度インジケーションとが含まれる。
【００７４】
ステップ８０５では、ｅＮＢは、ユーザデバイスコンテキスト変更応答メッセージをＭＭＥに送信する。
【００７５】
ステップ８０６では、ｅＮＢは、リダイレクションメカニズムを使用することを決定し、無線接続解放を開始し、即ち無線接続解放要求メッセージをＵＥに送信し、２Ｇ／３Ｇにリダイレクトして回路交換サービスを行うようにＵＥに指示する。且つ当該要求メッセージには優先度インジケーションが含まれ、当該インジケーションは１つのビットで示されることができ、高優先度を示すことに用いられる。ＵＥは、無線接続解放要求メッセージを受信した後、その中の優先度インジケーションを記憶する。
【００７６】
ステップ８０７では、ＵＥは、ＧＥＲＡＮ／ＵＴＲＡＮで無線接続を開始し、当該要求メッセージには、ＵＥが優先度インジケーションをキャリーしてＧＥＲＡＮ／ＵＴＲＡＮに通知する。
【００７７】
ＵＥがＧＥＲＡＮに接続する場合、当該要求メッセージは、チャネル要求（ｃｈａｎｎｅｌ  ｒｅｑｕｅｓｔ）メッセージであってよく、その中の優先度インジケーションが確立原因（ｅｓｔａｂｌｉｓｈｍｅｎｔ  ｃａｕｓｅ）であってよく、当該原因が緊急通報（ｅｍｅｒｇｅｎｃｙ  ｃａｌｌ）であってよい。ＵＥがＵＴＲＡＮに接続する場合、当該要求メッセージは無線リソース接続確立要求（ＲＲＣ  Ｃｏｎｎｅｃｔｉｏｎ  ＳＥＴＵＰ  Ｒｅｑｕｅｓｔ）メッセージであってよく、その中に含まれる確立原因は高優先度シグナリング終了（ｔｅｒｍｉｎａｔｉｎｇ  Ｈｉｇｈ  Ｐｒｉｏｒｉｔｙ  Ｓｉｇｎａｌｉｎｇ）又は緊急通報であってよい。上記要求メッセージを受信した後、ＧＥＲＡＮ／ＵＴＲＡＮは、その中に含まれる確立原因の値に基づいて、優先的に当該要求メッセージを処理してリソースを割り当てる。
【００７８】
上記の優先サービスの処理方法に対応して、本発明に係る優先サービスの処理システムは、ＵＥ、ｅＮＢ及びＭＭＥを含む。ここで、ｅＮＢ及び／又はＭＭＥは、回路交換フォールバックの移動局が呼を終了するプロセスにおいて、ＵＥへのメッセージに、サービスの優先度インジケーションをキャリーすることに用いられる。ＵＥは、ＧＥＲＡＮ又はＵＴＲＡＮで対応するサービスを開始する場合に、前記サービスに対応する優先度インジケーションをＧＥＲＡＮ又はＵＴＲＡＮに送信することに用いられる。
【００７９】
好ましくは、ｅＮＢは、アイドル状態にあるＵＥに対して、ＵＥへのページングメッセージ及び／又は無線接続解放要求メッセージを介して、前記サービスの優先度インジケーションをキャリーすることにさらに用いられる。
【００８０】
好ましくは、ＭＭＥは、接続状態にあるＵＥに対して、ＵＥへのＣＳサービス通知メッセージを介して、前記サービスの優先度インジケーションをキャリーすることにさらに用いられる。
【００８１】
好ましくは、ｅＮＢは、接続状態にあるＵＥに対して、ＵＥへの無線接続解放要求メッセージを介して、前記サービスの優先度インジケーションをキャリーすることにさらに用いられる。
【００８２】
上記のように、本発明によれば、ソースネットワークＥ−ＵＴＲＡＮは、既存メッセージを十分に利用してサービス情報をキャリーしてＵＥに通知することができ、ＵＥが当該情報をターゲットネットワークＧＥＲＡＮ／ＵＴＲＡＮに転送することにより、ターゲットネットワークにおける高優先度サービスの失敗を避けることができる
【００８３】
以上は、本発明の最適的な実施形態に過ぎなく、本発明の保護範囲を限定するものではない。
【図１】
2013538510.tif 000003
【図２】
2013538510.tif 000004
【図３】
2013538510.tif 000005
【図４】
2013538510.tif 000006
【図５】
2013538510.tif 000007
【図６】
2013538510.tif 000008
【図７】
2013538510.tif 000009
【図８】
2013538510.tif 000010
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
優先サービスの処理方法であって、前記方法は、
回路交換フォールバックの移動局が呼を終了するプロセスにおいて、発展型ノードＢ（ｅＮＢ）及び／又はモビリティ管理エンティティ（ＭＭＥ）が、ユーザ端末（ＵＥ）に送信したメッセージに、サービスの優先度インジケーションをキャリーするステップと、
前記ＵＥが、ＧＳＭ  ＥＤＧＥ無線アクセスネットワーク（ＧＥＲＡＮ）又は汎用陸上無線アクセスネットワーク（ＵＴＲＡＮ）で、対応するサービスを開始する場合に、前記サービスに対応する優先度インジケーションをＧＥＲＡＮ又はＵＴＲＡＮに送信するステップとを含むことを特徴とする優先サービスの処理方法。
【請求項２】
当該方法は、
アイドル状態にあるＵＥに対して、前記ｅＮＢが、ＵＥへのページングメッセージ及び／又は無線接続解放要求メッセージを介して、前記サービスの優先度インジケーションをキャリーするステップをさらに含むことを特徴とする
請求項１に記載の優先サービスの処理方法。
【請求項３】
当該方法は、
接続状態にあるＵＥに対して、前記ＭＭＥが、ＵＥへの回路交換（ＣＳ）サービス通知メッセージを介して前記サービスの優先度インジケーションをキャリーし、及び／又は、ｅＮＢが、ＵＥへの無線接続解放要求メッセージを介して前記サービスの優先度インジケーションをキャリーするステップをさらに含むことを特徴とする
請求項１に記載の優先サービスの処理方法。
【請求項４】
前記ＵＥがＧＥＲＡＮで対応するサービスを開始する場合に、前記サービスに対応する優先度インジケーションをＧＥＲＡＮに送信することは、具体的には、
前記ＵＥがチャネル要求メッセージをＧＥＲＡＮに送信し、前記要求メッセージにおける確立原因が前記優先度インジケーションとされ、且つ前記確立原因が緊急通報として充填されることを特徴とする
請求項１に記載の優先サービスの処理方法。
【請求項５】
前記ＵＥがＵＴＲＡＮで対応するサービスを開始する場合に、前記サービスに対応する優先度インジケーションをＵＴＲＡＮに送信することは、具体的には、
前記ＵＥが無線リソース接続確立要求メッセージをＵＴＲＡＮに送信し、前記要求メッセージにおける確立原因が前記優先度インジケーションとされ、且つ前記確立原因が高優先順位シグナリング終了又は緊急通報として充填されることを特徴とする
請求項１に記載の優先サービスの処理方法。
【請求項６】
回路交換フォールバックの移動局が呼を終了するプロセスにおいて、前記ＵＥに送信したメッセージに、サービスの優先度インジケーションをキャリーすることに用いられることを特徴とする装置。
【請求項７】
前記装置は、基地局（ｅＮＢ）又はモビリティ管理エンティティ（ＭＭＥ）であることを特徴とする
請求項６に記載の装置。
【請求項８】
前記ｅＮＢは、
アイドル状態にあるＵＥに対して、ＵＥへのページングメッセージ及び／又は無線接続解放要求メッセージを介して、前記サービスの優先度インジケーションをキャリーし、及び／又は、
接続状態にあるＵＥに対して、ＵＥへの無線接続解放要求メッセージを介して、前記サービスの優先度インジケーションをキャリーすることにさらに用いられることを特徴とする
請求項７に記載の装置。
【請求項９】
前記ＭＭＥは、
接続状態にあるＵＥに対して、ＵＥへのＣＳサービス通知メッセージを介して、前記サービスの優先度インジケーションをキャリーすることにさらに用いられることを特徴とする
請求項７に記載の装置。
【請求項１０】
回路交換フォールバックの移動局が呼を終了するプロセスにおいて、ｅＮＢ及び／又はＭＭＥから送信された、サービスの優先度インジケーションをキャリーするメッセージを受信し、そしてＧＥＲＡＮ又はＵＴＲＡＮで対応するサービスを開始する場合に、前記サービスに対応する優先度インジケーションをＧＥＲＡＮ又はＵＴＲＡＮに送信することを特徴とするユーザ端末（ＵＥ）。
【請求項１１】
前記ＵＥは、
チャネル要求メッセージをＧＥＲＡＮに送信することにさらに用いられ、前記要求メッセージにおける確立原因が前記優先度インジケーションとされ、且つ前記確立原因が緊急通報として充填され、又は、
無線リソース接続確立要求メッセージをＵＴＲＡＮに送信することにさらに用いられ、前記要求メッセージにおける確立原因が前記優先度インジケーションとされ、且つ前記確立原因が高優先順位シグナリング終了又は緊急通報として充填されることを特徴とする
請求項１０に記載のＵＥ。
【請求項１２】
優先サービスの処理システムであって、当該システムは、ｅＮＢ、ＭＭＥ、及び請求項１０又は１１に記載のＵＥを含み、ここで、
前記ｅＮＢ及び／又はＭＭＥは、回路交換フォールバックの移動局が呼を終了するプロセスにおいて、前記ＵＥに送信したメッセージに、サービスの優先度インジケーションをキャリーすることに用いられることを特徴とする優先サービスの処理システム。
【請求項１３】
前記ｅＮＢは、
アイドル状態にあるＵＥに対して、ＵＥへのページングメッセージ及び／又は無線接続解放要求メッセージを介して、前記サービスの優先度インジケーションをキャリーすることにさらに用いられることを特徴とする
請求項１２に記載の優先サービスの処理システム。
【請求項１４】
前記ＭＭＥは、
接続状態にあるＵＥに対して、ＵＥへのＣＳサービス通知メッセージを介して、前記サービスの優先度インジケーションをキャリーすることにさらに用いられることを特徴とする
請求項１２に記載の優先サービスの処理システム。
【請求項１５】
前記ｅＮＢは、
接続状態にあるＵＥに対して、ＵＥへの無線接続解放要求メッセージを介して、前記サービスの優先度インジケーションをキャリーすることにさらに用いられることを特徴とする
請求項１２又は請求項１４に記載の優先サービスの処理システム。
【国際調査報告】
2013538510.tif 000011
2013538510.tif 000012
2013538510.tif 000013
2013538510.tif 000014